(57)【要約】【課題】  棒材供給機の開閉カバーを両側から開閉可能にする。【解決手段】  棒材供給機の上部を給材方向（ａ）に沿って開閉カバー（１１）で覆う。開閉カバーの給材方向に沿った両側に支点軸（１５，１６）又は支点軸が出入りする軸受（１７，１８）が設けられ、棒材供給機のフレーム（１２）の給材方向に沿った両側に上記軸受又は支点軸が設けられる。開閉カバーをそのいずれか一方の側から支点軸を軸受から離脱させるように持ち上げると、開閉カバーが反対側の支点軸及び軸受を支点にして上方に回動する。従って、開閉カバーを棒材供給機の所望の側から開けて保守、点検等の作業を簡易に行うことができる。【選択図】  図７
2005254387.tif 000002
【特許請求の範囲】
【請求項１】
棒材供給機の上部を給材方向に沿って覆う開閉カバーにおいて、開閉カバーの給材方向に沿った両側に支点軸又はその枢支用の軸受が設けられ、棒材供給機のフレームの給材方向に沿った両側に上記軸受又は上記支点軸が設けられ、所望の側の支点軸を軸受から離脱させることにより他方の側の軸受内の支点軸を支点にして開閉カバーを所望の側から開けることができるようにしたことを特徴とする棒材供給機の開閉カバー。
【請求項２】
請求項１に記載の棒材供給機の開閉カバーにおいて、開閉用アクチュエータが設けられたことを特徴とする棒材供給機の開閉カバー。
【請求項３】
請求項１又は請求項２に記載の棒材供給機の開閉カバーにおいて、上記支点軸が軸受にロック手段によりロックされるようにしたことを特徴とする棒材供給機の開閉カバー。
【請求項４】
請求項３に記載の棒材供給機の開閉カバーにおいて、開閉カバーの両側に取っ手が設けられ、ロック手段のロック解除レバーが取っ手を握る手で解除操作可能に設けられたことを特徴とする棒材供給機の開閉カバー。
【発明の詳細な説明】
【技術分野】
【０００１】
本発明は、棒材供給機の開閉カバーに関する。
【背景技術】
【０００２】
棒材供給機は、棒材をその先端から旋盤等の加工機に送り、加工機が棒材の先端部分を加工する間棒材の後部を支持するための装置であり、その上部は給材方向に沿って延びる開閉カバーにより覆われている。
【０００３】
図１２に示す開閉カバー１は、棒材供給機のフレームの給材方向ａ（図１参照）に沿った片側にヒンジ２を介して連結される。棒材供給機の内部を点検等する場合は、取っ手３を持って開閉カバー１を持ち上げることにより、ヒンジ２を支点にして開閉カバー１を上方に開き、棒材供給機の上部を露出させることができる。
【０００４】
また、図１３に示す開閉カバー４，５は、棒材供給機の上方に給材方向に沿って設けられた梁６の両側にそれぞれヒンジ７，８を介して連結される。棒材供給機の内部を点検等する場合は、各開閉カバー４，５を取っ手９を持って持ち上げることにより、ヒンジ７，８を支点にして上方に開き、棒材供給機の上部を露出させることができる。
【発明の開示】
【発明が解決しようとする課題】
【０００５】
図１２に示す開閉カバー１は、棒材供給機の片側から開けることができるが反対側から開けることができないので、反対側から作業を行うことが困難であるという問題がある。また、図１３に示す開閉カバー４，５は棒材供給機の両側から開けることができるが、棒材供給機の上部中央には起立状態の開閉カバー４，５や梁６が存在しているので、点検作業等の邪魔になるという問題がある。
【０００６】
本発明は、このような問題点を解決することができる棒材供給機の開閉カバーを提供することを目的とする。
【課題を解決するための手段】
【０００７】
上記課題を解決するため、請求項１に係る発明は、棒材供給機の上部を給材方向（ａ）に沿って覆う開閉カバー（１１）において、開閉カバー（１１）の給材方向（ａ）に沿った両側に支点軸（１５，１６，２８，３５）又はその枢支用の軸受（１７，１８，２９，３６）が設けられ、棒材供給機のフレーム（１２）の給材方向（ａ）に沿った両側に上記軸受（１７，１８，２９，３６）又は上記支点軸（１５，１６，２８，３５）が設けられ、所望の側の支点軸（１５又は１６，２８，３５）を軸受（１７又は１８，２９，３６）から離脱させることにより他方の側の軸受（１８又は１７，２９，３６）内の支点軸（１６又は１５，２８，３５）を支点にして開閉カバー（１１）を所望の側から開けることができるようにした棒材供給機の開閉カバー（１１）を採用する。
【０００８】
また、請求項２に係る発明は、請求項１に記載の棒材供給機の開閉カバー（１１）において、開閉用アクチュエータ（２０，２１）が設けられた棒材供給機の開閉カバー（１１）を採用する。
【０００９】
また、請求項３に係る発明は、請求項１又は請求項２に記載の棒材供給機の開閉カバー（１１）において、上記支点軸（１５，１６，２８）が軸受（１７，１８，２９）にロック手段によりロックされるようにした棒材供給機の開閉カバー（１１）を採用する。
【００１０】
また、請求項４に係る発明は、請求項３に記載の棒材供給機の開閉カバー（１１）において、開閉カバー（１１）の両側に取っ手（３４）が設けられ、ロック手段のロック解除レバー（３１）が取っ手（３４）を握る手で解除操作可能に設けられた棒材供給機の開閉カバー（１１）を採用する。
【発明の効果】
【００１１】
請求項１に係る発明によれば、棒材供給機の上部を給材方向（ａ）に沿って覆う開閉カバー（１１）において、開閉カバー（１１）の給材方向（ａ）に沿った両側に支点軸（１５，１６，２８，３５）又はその枢支用の軸受（１７，１８，２９，３６）が設けられ、棒材供給機のフレーム（１２）の給材方向（ａ）に沿った両側に上記軸受（１７，１８，２９，３６）又は上記支点軸（１５，１６，２８，３５）が設けられ、所望の側の支点軸（１５又は１６，２８，３５）を軸受（１７又は１８，２９，３６）から離脱させることにより他方の側の軸受（１８又は１７，２９，３６）内の支点軸（１６又は１５，２８，３５）を支点にして開閉カバー（１１）を所望の側から開けることができるようにしたことから、開閉カバー（１１）を一方の側から持ち上げると、開閉カバー（１１）が反対側の支点軸（１５，１６，２８，３５）を支点にして上方に回動する。従って、開閉カバー（１１）を棒材供給機の所望の側から自在に開けることができ、保守、点検等の作業を簡易に行うことができる。
【００１２】
請求項２に係る発明によれば、請求項１に記載の棒材供給機の開閉カバー（１１）において、開閉用アクチュエータ（２０，２１）が設けられたことから、開閉カバー（１１）を簡易且つ迅速に開閉することができる。
【００１３】
請求項３に係る発明によれば、請求項１又は請求項２に記載の棒材供給機の開閉カバー（１１）において、上記支点軸（１５，１６，２８）が軸受（１７，１８，２９）にロック手段によりロックされるようにしたことから、ロック手段を施錠状態にすることにより開閉カバー（１１）を開かないように固定することができる。
【００１４】
請求項４に係る発明によれば、請求項３に記載の棒材供給機の開閉カバー（１１）において、開閉カバー（１１）の両側に取っ手（３４）が設けられ、ロック手段のロック解除レバー（３１）が取っ手（３４）を握る手で解除操作可能に設けられたことから、取っ手（３４）を握る手でロック解除レバー（３１）を解除操作し、直ちに開閉カバー（１１）を開けることができる。
【発明を実施するための最良の形態】
【００１５】
以下、図面を参照して発明を実施するための最良の形態について説明する。
【００１６】
＜実施の形態１＞
図１（Ａ）（Ｂ）に示すように、棒材供給機は加工機である旋盤１０の傍らに配置され、その上部は給材方向ａに沿って伸びる開閉カバー１１により覆われる。開閉カバー１１の下方には、図示しないが棒材の後端部を保持しつつ棒材を先端部から旋盤１０に送り込むための駆動部等が配置される。
【００１７】
図１（Ａ）及び図２に示すように、開閉カバー１１は、棒材供給機のフレーム１２の給材方向ａに沿った左右両側から起立する側壁１１ａ，１１ｃと、両側壁１１ａ，１１ｃの上端間に渡される天壁１１ｂとを有し、これらの壁１１ａ，１１ｂ，１１ｃは薄板により一体的に形成される。また、開閉カバー１１はその内面に給材方向に間欠的にリブ１３が複数個設けられることにより補強される。各リブ１３は一方の側壁１１ａの内面から天壁１１ｂの内面を横切り他方の側壁１１ｃの内面へと伸びる。両側壁１１ａ，１１ｃの外面には、取っ手１４が配置される。
【００１８】
図１（Ａ）に示す各リブ１３の近傍であって、開閉カバー１１の給材方向ａに沿った左右両側には、図２及び図３に示すように、支点軸１５，１６が設けられ、棒材供給機のフレーム１２の給材方向ａに沿った左右両側に上記支点軸１５，１６を回動可能に支持する軸受１７，１８が設けられる。
【００１９】
支点軸１５，１６は例えば短い丸棒で形成され、後述する取り付け方で開閉カバー１１に水平に取り付けられる。軸受１７，１８は、リブ１３の近傍において棒材供給機のフレーム１２にネジ等により固定された支点ベース１９に設けられ、支点軸１５，１６を挿入可能な円形の軸孔１７ａ，１８ａを有する。
【００２０】
後述するように開閉カバー１１の左右いずれの側においても支点軸１５，１６と軸受１７，１８とは係脱自在に係合し、図７に示すように、右側の支点軸１６と軸受１８との係合が解除されると開閉カバー１１は左側の支点軸１５を支点にして上方に回動することができ、また、図８に示すように、左側の支点軸１５と軸受１７との係合が解除されると開閉カバー１１は右側の支点軸１６を支点にして上方に回動することができる。
【００２１】
開閉カバー１１の左右いずれの側においても、次のような構造によって支点軸１５，１６と軸受１７，１８とは係脱自在に係合する。なお、ここでは左側の構造についてのみ説明するが右側の支点軸１６と軸受１８も同様な構造によって係脱自在に係合する。
【００２２】
図３乃至図６に示すように、上記取っ手１４が開閉カバー１１の側壁１１ａに給材方向ａにスライド可能に取り付けられる。具体的には側壁１１ａに給材方向ａに沿って長孔２５が形成され、取っ手１４はこの長孔２５内で給材方向ａにスライド可能である。側壁１１ａの内面には取っ手１４を保持する保持板２６が脱落しないように当接し、この保持板２６の両端にアーム２６ａが固定され、各アーム２６ａの先端から上記支点軸１５が給材方向ａに沿って同じ向きで突出する。図３及び図４に示すように、保持板２７は開閉カバー１１のリブ１３に形成された挿通孔１３ｂを貫通することによりリブ１３と側壁１１ａ，１１ｃとの間にスライド可能に挟まれ保持される。また、図３及び図５に示すように、支点ベース１９は各支点軸１５にそれぞれ同じ側から対向するようにフレーム１２から起立し、開閉カバー１１が閉状態にあるときの各支点軸１５の先端に正対するように円形の軸孔１７ａが形成される。
【００２３】
これにより、開閉カバー１１の左側の取っ手１４を開閉カバー１１外から図３の位置へとスライド操作すると、支点軸１５が軸受１７の軸孔１７ａから離脱し、図８に示すように、開閉カバー１１は右側の支点軸１６を支点にして上方に回動可能になる。また、開閉カバー１１の右側の取っ手１４を開閉カバー１１外から同様にスライド操作すると、支点軸１６が軸受１８の軸孔１８ａから離脱し、図７に示すように、開閉カバー１１は左側の支点軸１５を支点にして上方に回動可能になる。
【００２４】
上記支点軸１５，１６は上記軸受１７，１８の円形の軸孔１７ａ，１８ａに対し出入りするようになっているので、支点軸１５，１６及び軸受１７，１８はロック手段としても機能する。すなわち、取っ手１４を給材方向ａに沿って一方にスライドさせると支点軸１５，１６が軸孔１７ａ，１８ａに侵入する。これにより、ロック手段が施錠状態とされ、開閉カバー１１は開かないように固定される。また、図３に示すように、取っ手１４を逆向きにスライドさせると支点軸１５，１６が軸孔１７ａ，１８ａから離脱する。これにより、ロック手段が開錠状態とされる。開閉カバー１１の左右両側の支点軸１５，１６を軸孔１７ａ，１８ａに挿入すると開閉カバー１１は開蓋不能となり、開閉カバー１１の左右いずれかの側の支点軸１５又は１６を軸孔１７ａ又は１８ａに挿入し反対側の支点軸１６又は１５を軸孔１８ａ又は１７ａから抜くと、開閉カバー１１は反対側から開けることができる。
【００２５】
図３に示すように、開閉カバー１１のリブ１３には必要に応じて支点軸１５のガイド孔１３ａが形成される。ガイド孔１３ａはリブ１３に直に形成してもよいが、望ましくは図５に示すように、リブ１３に固定されるガイド部材２７により与えられる。取っ手１４を給材方向ａに沿って一方にスライドさせると支点軸１５が軸孔１７ａ及びガイド孔１３ａに侵入し、ロック手段が施錠状態とされ開閉カバー１１は開かないように固定される。支点軸１５はアーム２６ａとリブ１３とによって両端支持されるので、適正な施錠力を得ることができ、また、開閉カバー１１の開閉動作が円滑化する。図示しないが開閉カバー１１の右側の支点軸１６についても同様にガイド孔が用意される。
【００２６】
開閉カバー１１は取っ手１４を持って人力で開けることも可能であるが、望ましくは図１（Ａ）、図７及び図８に示すようにアクチュエータであるシリンダ・ピストン装置２０，２１を用いて開閉操作される。
【００２７】
シリンダ・ピストン装置２０，２１は、連結リンク２２，２３と共に開閉カバー１１に取り付けられる。
【００２８】
図２、図５〜図８に示すように、連結リンク２２，２３はその基端がリブ１３上の上記左右のガイド部材２７の他端にそれぞれ枢着される。連結リンク２２，２３はガイド部材２７を支点ピンとして開閉カバー１１に対し回動自在である。また、図４乃至図８に示すように、連結リンク２２，２３は上記支点ベース１９に対し係脱可能である。図６乃至図８に示すように、支点ベース１９には、左右の連結リンク２２，２３が支点ベース１９に係合した状態において連結リンク２２，２３が左右反対側に倒れないように固定するための固定片１９ａ，１９ｂが設けられ、他方連結リンク２２，２３の基部には固定片１９ａ，１９ｂに保持される保持片２２ａ，２３ａが設けられる。固定片１９ａ，１９ｂ間に形成される凹部内に保持片２２ａ，２３ａにより形成される凸部が嵌まり込むことで連結リンク２２，２３がフレーム１２上に固定される。
【００２９】
シリンダ・ピストン装置２０，２１はそれぞれ連結リンク２２，２３の先端と開閉カバー１１のリブ１３との間に配置される。具体的には、シリンダ・ピストン装置２０，２１のピストンロッドの先端が連結リンク２２，２３の先端にピン結合され、シリンダの後端がリブ１３にピン結合される。
【００３０】
これにより、右側の支点軸１６及び軸受１８を開錠状態にしたうえで、図７に示すように、左側のシリンダ・ピストン装置２０を伸動作させると、開閉カバー１１が左側の軸受１７内の支点軸１５を支点に上方に開く。そのとき右側のシリンダ・ピストン装置２１は縮状態でアーム２３と共に開閉カバー１１の内面側に収まっており、開閉カバー１１と一体で上昇する。また、左側の支点軸１５及び軸受１７を開錠状態にしたうえで、図８に示すように、右側のシリンダ・ピストン装置２１を伸動作させると、開閉カバー１１が右側の支点ベース１９上の支点軸１６を支点に上方に開く。そのとき左側のシリンダ・ピストン装置２０は縮状態でアーム２２と共に開閉カバー１１の内面側に収まっており、開閉カバー１１と一体で上昇する。
【００３１】
次に、上記構成の開閉カバーの作用について説明する。
【００３２】
棒材供給機の内部について左側から点検作業等を行う場合は、開閉カバー１１の左側の取っ手１４を開閉カバー１１外から図３の位置へとスライド操作し、支点軸１５を軸受１７の軸孔１７ａから離脱させる。
【００３３】
そして、図８に示すように、右側のシリンダ・ピストン装置２１を伸動作させると、開閉カバー１１が右側の支点ベース１９上の支点軸１６を支点に上方に開く。そのとき左側のシリンダ・ピストン装置２０は縮状態でアーム２２と共に開閉カバー１１の内面側に収まっており、開閉カバー１１と一体で上昇する。
【００３４】
これにより、棒材供給機の左側は大きく開き、左側からの点検作業等が可能になる。
【００３５】
また、棒材供給機の内部について右側から点検作業等を行う場合は、図３に示すように開閉カバー１１の右側の取っ手１４を開閉カバー１１外からスライド操作し、支点軸１５を軸受１７の軸孔１７ａから離脱させる。
【００３６】
そして、図７に示すように、左側のシリンダ・ピストン装置２０を伸動作させると、開閉カバー１１が左側の支点ベース１９上の支点軸１５を支点に上方に開く。そのとき右側のシリンダ・ピストン装置２１は縮状態でアーム２３と共に開閉カバー１１の内面側に収まっており、開閉カバー１１と一体で上昇する。
【００３７】
これにより、棒材供給機の右側は大きく開き、右側からの点検作業等が可能になる。
【００３８】
かくて、作業者は棒材供給機をその左右いずれの側からも自在に開くことができ、大きく開いた開口から機械内部の保守、点検作業等を行うことができる。
【００３９】
＜実施の形態２＞
この実施の形態２では、図９及び図１０に示すように、支点軸２８が棒材供給機のフレーム１２に固定された支点ベース１９に水平に固定され、軸受２９の凹溝２９ａが開閉カバー１１のリブ１３に開口を下向きにして形成される。
【００４０】
また、上記支点軸２８は軸受２９に対しこれらとは別体のロック手段を介して連結される。
【００４１】
このロック手段は、上記支点軸２８に対し係脱する鈎状のロック片３０と、ロック片３０を支点軸２８から離反させるロック解除レバー３１とを備える。
【００４２】
ロック片３０は開閉カバー１１のリブ１３に支点ピン３２を介して回動可能に保持され、一方向に回動すると支点軸２８に係合し、他方向に回動すると支点軸２８から離反可能である。
【００４３】
ロック解除レバー３１は、開閉カバー１１の側壁１１ａ外に配置される把持部３１ａと、把持部３１ａの両端から側壁１１ａを内方に貫通するスライド棒３１ｂと、両スライド棒３１ｂの内端間に渡される連結ピン３１ｃとを備える。スライド棒３１ｂは側壁１１ａの内面との間に介装される弾性体である圧縮コイルバネ３３により側壁１１ａの内方向に常時付勢される。連結ピン３１ｃはロック片３０と長孔３０ａを介して連結され、上記圧縮コイルバネ３３の付勢力によりロック片３０を支点軸２８に対する係合方向に常時付勢する。
【００４４】
図１０（Ａ）に示すように、ロック解除レバー３１を解放状態に置くと圧縮コイルバネ３３の付勢力により連結ピン３１ｃ及び長孔３０ａの係合を介してロック片３０が支点ピン３２を支点に回動し支点軸２８と係合する。これにより、ロック手段が施錠状態とされ、開閉カバー１１が開かないように固定される。また、同図（Ｂ）に示すように、ロック解除レバー３１ａを圧縮コイルバネ３３の付勢力に抗して引くと、連結ピン３１ｃ及び長孔３０ａの係合を介してロック片３０が支点ピン３２を支点に反対方向に回動し支点軸２８から離反する。これにより、ロック手段が開錠状態とされ、開閉カバー１１を開くことができる。
【００４５】
把持部３１ａは開閉カバー１１外の所望の位置に配置することができるが、図９及び図１０に示すように、望ましくは開閉カバー１１に固定された取っ手３４の内側に配置される。これにより、ロック手段のロック解除レバー３１が取っ手３４を握る手で解除操作可能になり、直ちに開閉カバー１１を開けることができる。
【００４６】
なお、上記支点軸２８等は開閉カバー１１の左側のものについて示したが、開閉カバー１１の右側にも同様の構造として設けられる。
【００４７】
＜実施の形態３＞
この実施の形態３では、図１１（Ａ）（Ｂ）に示すように、支点軸３５が例えば短い丸棒で形成され、開閉カバー１１のリブ１３に水平に固定される。軸受３６はリブ１３の近傍において棒材供給機のフレーム１２にネジ等により固定された支点ベース１９に設けられ、支点ベース１９の上端に開口する凹溝３６ａとして形成される。
【００４８】
これにより、開閉カバー１１に固定された取っ手３４を持って左右両側の支点軸３５のいずれか一方を軸受３６のいずれか一方から離脱させるようにすると、反対側の支点軸３５がその軸受３６である凹溝３６ａ内で回動し、開閉カバー１１が左右いずれか所望の側から開くことになる。
【００４９】
なお、上記支点軸３５等は開閉カバー１１の左側のものについて示したが、開閉カバー１１の右側にも同様の構造として設けられる。
【図面の簡単な説明】
【００５０】
【図１】本発明に係る開閉カバーを備えた棒材供給機を示し、（Ａ）（Ｂ）は夫々その平面図、立面図である。
【図２】図１（Ａ）中、ＩＩ−ＩＩ線矢視横断面図である。
【図３】（Ａ）（Ｂ）は夫々図２中、ＩＩＩ部の平面図、正面図である。
【図４】図３（Ｂ）中、ＩＶ−ＩＶ線矢視断面図である。
【図５】図３（Ｂ）中、右部分の拡大図であり、（Ａ）は支点軸が軸受と係合した状態を示し、（Ｂ）支点軸が軸受から離脱した状態を示す。
【図６】図５（Ａ）中、ＶＩ−ＶＩ線矢視横断面図である。
【図７】開閉カバーを左開き状態で示す横断面図である。
【図８】開閉カバーを右開き状態で示す横断面図である。
【図９】本発明の実施の形態２に係る開閉カバーのロック装置を示し、（Ａ）（Ｂ）は夫々その平面図、正面図である。
【図１０】図９に示すロック装置の作用を示す横断面図であり、（Ａ）（Ｂ）は夫々施錠状態、開錠状態を示す。
【図１１】本発明の実施の形態３を示し、（Ａ）（Ｂ）は夫々正面図、横断面図である。
【図１２】従来の開閉カバーを示す横断面図である。
【図１３】従来の他の開閉カバーを示す横断面図である。
【符号の説明】
【００５１】
ａ…給材方向
１１…開閉カバー
１２…フレーム
１５，１６，２８，３５…支点軸
１７，１８，２９，３６…軸受
２０，２１…シリンダ・ピストン装置
３１…ロック解除レバー
３４…取っ手
【図１】
2005254387.tif 000003
【図２】
2005254387.tif 000004
【図３】
2005254387.tif 000005
【図４】
2005254387.tif 000006
【図５】
2005254387.tif 000007
【図６】
2005254387.tif 000008
【図７】
2005254387.tif 000009
【図８】
2005254387.tif 000010
【図９】
2005254387.tif 000011
【図１０】
2005254387.tif 000012
【図１１】
2005254387.tif 000013
【図１２】
2005254387.tif 000014
【図１３】
2005254387.tif 000015